(57)【要約】      （修正有）【課題】鞄の中を濡らすことなく、且つ、即時に傘を収納及び取り出しすることができる傘入れであって、鞄の外に出した状態で携帯できる傘入れを提供する。【解決手段】折り畳み式の傘を収容して、鞄に引っ掛けて使用する傘入れ１００であって、鞄に引っ掛けて固定する掛止部材１１と、傘を入れる袋部材１２とを有し、掛止部材は、略長方形の形状であって、その中央に第１の開口部１１ａを備え、袋部材は、表側シートと裏側シートとを備え、掛止部材の略長方形の長辺に取り付けられ、表側シートの周辺部と裏側シートの周辺部とは接合され、表側シートの表面の一部に第２の開口部１２ａを有し、第１の開口部は、傘の収容時に、鞄の取っ手を挿入され、第２の開口部は、傘の収容時に、傘を挿入される、ことを特徴とする。【選択図】図２
0003198559.tif 000002
【実用新案登録請求の範囲】
【請求項１】
折り畳み式の傘を収容して、鞄に引っ掛けて使用する傘入れであって、
前記鞄に引っ掛けて固定する掛止部材と、
前記傘を入れる袋部材と
を有し、
前記掛止部材は、略長方形の形状であって、その中央に第１の開口部を備え、
前記袋部材は、表側シートと裏側シートとを備え、前記掛止部材の略長方形の長辺に取り付けられ、
前記表側シートの周辺部と前記裏側シートの周辺部とは接合され、
前記表側シートの表面の一部に第２の開口部を有し、
前記第１の開口部は、前記傘の収容時に、前記鞄の取っ手を挿入され、
前記第２の開口部は、前記傘の収容時に、前記傘を挿入される、
ことを特徴とする傘入れ。
【請求項２】
前記表側シート及び前記裏側シートは、略三角形状であり、
前記略三角形状の一辺を前記長辺に固定される、
ことを特徴とする、請求項１に記載の傘入れ。
【請求項３】
前記第２の開口部は、前記長辺に平行して開閉するスライドファスナ又は滑り式留め具である、
ことを特徴とする、請求項１又は請求項２に記載の傘入れ。
【考案の詳細な説明】
【技術分野】
【０００１】
本考案は、折り畳み式の傘を収容して、鞄に引っ掛けて使用する傘入れに関する。
【背景技術】
【０００２】
特許文献１では、袋体と長尺部材とを有し、袋体は一端側だけが開口し、長尺部材は環状に接続する接続部材を有し、長尺部材を環状に接続した状態における周長は、袋体の開口近傍の周長の０．５倍以上１倍以下であり、長尺部材は一部を残して袋体の開口部に取り付けられ、袋体の内部に折り畳み傘を折り畳み状態で収納可能であり、その状態で、袋体の開口近傍を長尺部材を内側あるいは外側にして複数回折り込むことが可能であり、袋体の開口近傍を折り込んだ状態で長尺部材の接続部材を接続して長尺部材を環状にすることが可能である傘入れ袋に関する技術を開示している。
【先行技術文献】
【特許文献】
【０００３】
【特許文献１】特開２０１０−２７３８８３号公報
【考案の概要】
【考案が解決しようとする課題】
【０００４】
しかしながら、特許文献１に開示されている技術では、傘を入れた傘入れを鞄の中に入れて持ち運ぶため、傘を取り出すための動作が煩雑となる場合がある。また、特許文献１に開示されている技術では、傘を入れた傘入れを鞄の中に入れて持ち運ぶため、鞄の中が傘で濡れる場合がある。更に、特許文献１には、鞄の外に傘入れを出した状態で携帯する場合に、鞄との一体性を確保することのできる傘入れに関する技術の記載がない。
【０００５】
本考案は、鞄の中を濡らすことなく、且つ、即時に傘を収納及び取り出しすることができる傘入れであって、鞄の外に出した状態で携帯できる傘入れを提供することを目的とする。
【課題を解決するための手段】
【０００６】
上記課題を解決するために、本考案の一つの実施形態は、折り畳み式の傘を収容して、鞄に引っ掛けて使用する傘入れであって、前記鞄に引っ掛けて固定する掛止部材と、前記傘を入れる袋部材とを有し、前記掛止部材は、略長方形の形状であって、その中央に第１の開口部を備え、前記袋部材は、表側シートと裏側シートとを備え、前記掛止部材の略長方形の長辺に取り付けられ、前記表側シートの周辺部と前記裏側シートの周辺部とは接合され、前記表側シートの表面の一部に第２の開口部を有し、前記第１の開口部は、前記傘の収容時に、前記鞄の取っ手を挿入され、前記第２の開口部は、前記傘の収容時に、前記傘を挿入される、ことを特徴とする傘入れを提供する。
【０００７】
本考案の他の実施形態は、上記の傘入れであって、前記表側シート及び前記裏側シートは、略三角形状であり、前記略三角形状の一辺を前記長辺に固定される、ことを特徴とする傘入れであってもよい。
【０００８】
本考案の他の実施形態は、上記のいずれか１つの傘入れであって、前記第２の開口部は、前記長辺に平行して開閉するスライドファスナ又は滑り式留め具である、ことを特徴とする傘入れであってもよい。
【考案の効果】
【０００９】
本考案に係る傘入れによれば、鞄の中を濡らすことなく、且つ、即時に傘を収納及び取り出しすることができる。また、本考案に係る傘入れによれば、鞄の取っ手を利用して鞄の外に出した状態で携帯できるので、利便性、汎用性及びデザイン性を高めることができる。
【図面の簡単な説明】
【００１０】
【図１】本考案の実施形態に係る傘入れの一例を説明する説明図である。
【図２】本考案の実施形態に係る傘入れの一例を示す平面図である。
【図３】本考案の実施形態に係る傘入れの一例を示す側面図である。
【図４】本考案の実施形態に係る傘入れの表側シートの例を示す説明図である。
【図５】本考案の実施形態に係る傘入れの裏側シートの例を示す説明図である。
【考案を実施するための形態】
【００１１】
実施形態および実施例に係る傘入れの例を用いて、本考案を説明する。なお、本考案は、以後に説明する傘入れ以外でも、鞄の取っ手を利用して鞄の外に出した状態で携帯できる傘を入れるもの（部品、部材、装置、アプリケーション、システム、商品、製品など）であれば、いずれのものにも用いることができる。なお、傘入れの素材、色、形状は、特に限定されない。傘入れの素材は、傘を保持することができる強度を有するものであれば特に限定されない。傘入れの色は、透明、半透明、色付きのものであってもよい。傘入れの色は、説明書きを付記したもの、使用者（消費者）の趣味趣向に合わせた柄のものであってもよい。傘入れの形状の隅部は、角ばっていてもよく、丸みを帯びていてもよい。
【００１２】
以後に、本考案を説明する。
【００１３】
図１乃至図５を用いて、本考案の実施形態に係る傘入れの構成を説明する。ここで、図１は、本考案の実施形態に係る傘入れの一例を説明する説明図である。図２は、本考案の実施形態に係る傘入れの一例を示す平面図である。図３は、本考案の実施形態に係る傘入れの一例を示す側面図である。図４は、本考案の実施形態に係る傘入れの表側シートの例を示す説明図である。図５は、本考案の実施形態に係る傘入れの裏側シートの例を示す説明図である。なお、図１等に示す傘入れの構成等は一例であり、本考案は図１等に示す傘入れ等に限定されるものではない。
【００１４】
図１に示すように、本考案に係る傘入れ１００は、折り畳み式の傘を収容して、鞄に引っ掛けて使用するものである。傘入れ１００は、鞄に引っ掛けて固定する掛止部材１１と、傘を入れる袋部材１２とを有する。
【００１５】
図２に示すように、傘入れ１００の掛止部材１１は、中央に第１の開口部１１ａを備える。第１の開口部１１ａは、本実施形態では、略長方形の形状である。第１の開口部１１ａは、使用時（傘の収容時）に、鞄の取っ手を挿入される（例えば図１）。
【００１６】
これにより、傘入れ１００は、掛止部材１１を用いて、鞄の外に出した状態で携帯することができる。また、傘入れ１００は、掛止部材１１を用いて、鞄の外に出した状態で携帯することができるので、鞄の中を濡らすことなく、且つ、即時に傘を収納及び取り出しすることができる。
【００１７】
なお、本考案に係る掛止部材１１の材質、形状は、特に限定されない。掛止部材１１の材質は、撥水性、防水性又は遮水性であることが好ましい。また、第１の開口部１１ａの形状は、長方形以外のものであってもよい。
【００１８】
図２に示すように、傘入れ１００の袋部材１２は、傘を入れる（収納する、保持する、携帯する）ものである。また、図２及び図３に示すように、袋部材１２は、表側シート１２ｓ１と裏側シート１２ｓ２とを備える。袋部材１２は、本実施形態では、掛止部材１１の略長方形の長辺に取り付けられる。更に、袋部材１２は、表側シート１２ｓ１の表面の一部に、第２の開口部１２ａを有する。第２の開口部１２ａは、傘の収容時に、傘を挿入される。
【００１９】
これにより、傘入れ１００は、袋部材１２を用いて、傘を入れる（収納する、保持する、携帯する）ことができる。また、傘入れ１００は、掛止部材１１及び袋部材１２を用いて、鞄の外に出した状態で携帯することができるので、鞄の中を濡らすことなく、且つ、即時に傘を収納及び取り出しすることができる。
【００２０】
なお、本考案に係る袋部材１２の材質、形状は、傘を入れることができるものであれば、特に限定されない。袋部材１２の材質は、撥水性、防水性又は遮水性であることが好ましい。また、袋部材１２の形状は、逆三角形、台形、四角形、円形及びその他袋を形成する形状あってもよい。
【００２１】
図４及び図５を用いて、本考案に係る傘入れ１００の表側シート１２ｓ１及び裏側シート１２ｓ２の一例を説明する。
【００２２】
図４及び図５に示すように、本考案に係る傘入れ１００は、本実施形態では、表側シート１２ｓ１及び裏側シート１２ｓ２は、略三角形状である。なお、表側シート１２ｓ１及び裏側シート１２ｓ２の形状は、逆三角形、台形、四角形、円形及びその他袋を形成する形状あってもよい。
【００２３】
表側シート１２ｓ１及び裏側シート１２ｓ２の略三角形状の一辺は、掛止部材１１の長辺に固定される。また、表側シート１２ｓ１の周辺部と裏側シート１２ｓ２の周辺部とは接合され（例えば気密に縫い合わされ）、傘を保持する袋体を形成する。
【００２４】
第２の開口部１２ａは、図４に示すように、掛止部材１１の長辺に平行して開閉する。第２の開口部１２ａは、スライドファスナ又は滑り式留め具を用いることができる。また、第２の開口部１２ａは、面ファスナ（フック状に起毛された側とループ状に密集して起毛された側とを押し付けて貼り付けるもの）を用いてもよい。これにより、本考案に係る傘入れ１００は、袋部材１２に濡れた傘を収納時に、密封性に優れたスライドファスナ又は滑り式留め具を用いて閉塞することができるので、水が染み出ることを防止することができる。
【００２５】
図４に示すように、表側シート１２ｓ１の表側（外側）の材質は、熱可塑性ポリウレタン樹脂、ポリ塩化ビニル等の遮水性（撥水性、防水性）を有する樹脂を用いることができる。表側シート１２ｓ１の裏側（内側）の材質は、布地又は不織布からなる吸水性の素材を用いることができる。表側シート１２ｓ１は、厚さ０．１ｍｍから０．４ｍｍ程度のシート素材を利用してもよい。
【００２６】
図５に示すように、裏側シート１２ｓ２の表側（外側）の材質は、熱可塑性ポリウレタン樹脂、ポリ塩化ビニル等の遮水性（撥水性、防水性）を有する樹脂を用いることができる。裏側シート１２ｓ２の裏側（内側）の材質は、布地又は不織布からなる吸水性の素材を用いることができる。裏側シート１２ｓ２は、厚さ０．１ｍｍから０．４ｍｍ程度のシート素材を利用してもよい。
【００２７】
以上のとおり、本考案に係る傘入れによれば、鞄の取っ手を利用して鞄の外に出した状態で携帯できるので、鞄の中を濡らすことなく、且つ、即時に傘を収納及び取り出しすることができる。また、本考案に係る傘入れによれば、鞄の取っ手を利用して鞄の外に出した状態で携帯できるので、鞄及び傘入れの利便性、汎用性及びデザイン性を高めることができる。更に、本考案に係る傘入れによれば、未使用時に、畳んで鞄の中に保管することができ、携帯性に優れている。すなわち、本考案に係る傘入れによれば、内部に傘が入っていない状態において、平面的形状であり、厚さが薄いため、折り畳んだりして小型化することが容易であり、鞄の中に常備していても嵩張らない。
【００２８】
本考案に係る傘入れによれば、例えば家を出る際には晴れているが、後に天気が崩れると予想される際に、折り畳み傘を折り畳んだ状態で鞄に入れて持ち運び、雨が降りだすと鞄から取り出して折り畳み傘を使用し、更にその後に雨が止んだときに、本考案に係る傘入れに一時的に保管して携帯することができる。また、本考案に係る傘入れによれば、鞄の外に出した状態で折り畳み傘を携帯できるので、鞄の中で使用後の折り畳み傘が壊れることを防止することができる。
【００２９】
また、本考案に係る傘入れによれば、店舗の入口に設置された傘立てを使用する場合と比較して、帰りに忘れてしまったり、盗難の虞もない。また、本考案に係る傘入れによれば、店舗のビニール袋を使用する場合と比較して、破れ難く、デザイン性も高い。更に、本考案に係る傘入れによれば、生乾きを防止するため、袋部材を裏返して、比較的短時間で容易に乾かすことができる。
【００３０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００３１】
１００  ：  傘入れ
１１  ：  掛止部材
１１ａ：  第１の開口部
１２  ：  袋部材
１１ａ：  第２の開口部
１２ｓ１：表側シート
１２ｓ２：表側シート
【図１】
0003198559.tif 000003
【図２】
0003198559.tif 000004
【図３】
0003198559.tif 000005
【図４】
0003198559.tif 000006
【図５】
0003198559.tif 000007